(57)【要約】【課題】正確な位置に鉄筋が保持され、正確な断面形状を形成した法枠を構築する。  【解決手段】一端を地中への打ち込み部１４として形成した支柱１１の他端に支持部を有し、中間には支柱１１と直交するストッパ１３を有する鉄筋支持具１を使用する。この鉄筋支持具１の打ち込み部１４を法面に直交する方向に向けて、ストッパ１３が法面に接触するまで打ち込む。その鉄筋支持具１の支持部で鉄筋を支持する。その鉄筋群を覆う状態で、アーチ状の形状表示材２を設置する。この形状表示材２を被覆する状態でコンクリート５などを吹き付けて行う。【選択図】図１
2020016116.tif 000002
【特許請求の範囲】
【請求項１】
一端を地中への打ち込み部として形成した支柱の他端に鉄筋支持部を有し、中間には支柱と直交するストッパを有する鉄筋支持具を使用し、
ストッパが法面に接触するまで打ち込んだ鉄筋支持具と、
この鉄筋支持具の鉄筋支持部で支持した鉄筋と、
その鉄筋群を覆う状態で設置した、アーチ状の形状表示材と、
この形状表示材を被覆する状態で吹き付けたコンクリートなどで構成したことを特徴とする
法枠の構造。
【請求項２】
一端を地中への打ち込み部として形成した支柱の他端に支持部を有し、中間には支柱と直交するストッパを有する鉄筋支持具を使用し、
この鉄筋支持具の打ち込み部を法面に直交する方向に向けて、ストッパが法面に接触するまで打ち込み、
その鉄筋支持具の支持部で鉄筋を支持し、
その鉄筋群を覆う状態で、アーチ状の形状表示材を設置し、
この形状表示材を被覆する状態でコンクリートなどを吹き付けて行うことを特徴とする、
法枠の構築方法。
【請求項３】
アーチ状の形状表示材は、
その中央のアーチ部と、両端の直線部とより構成したことを特徴とする、請求項１記載の法枠の構造。
【請求項４】
アーチ状の形状表示材は、
その中央に形成したアーチ部と、両端に形成した直線部とよりなり、
その両端の直線部を、地表面と直交する方向に設置して行うことを特徴とする、
請求項２記載の法枠の構築方法。
【発明の詳細な説明】
【技術分野】
【０００１】
本発明は法枠の構造とその構築方法に関するものである。
【背景技術】
【０００２】
コンクリートを吹き付けて法枠を構築してのり面を安定させる工法は昭和５０年に開発された、両側の型枠を組み立てて型枠内にコンクリートを吹き付けるフリーフレーム工法（登録商標）が最初であり、韓国や台湾やマレーシアまで多くの国で施工され国内での施工実績は延長が７０万km（地球二周回分）近くが施工された。
その後ほぼ四角形断面のフリーフレーム工法の簡易版として半円形断面の法枠が施工されるようになった。
この半円形の簡易法枠工は、ほぼ緑化基礎工として施工されている。緑化基礎工としての法枠は枠内に施工した植物が生育し長期的に衰退しないことが重要であり、もし植物が衰退すると、法面の崩壊に繋がる。
ではどのような条件で植物の衰退の原因になるか、長期的に観察して枠内の客土が流出することが原因でおこることがわかっている。
その点、現在施工されている簡易法枠は枠断面が半円形であるため、客土がその上面を乗り越えて流出しやすいという問題を備えている。
さらに、凹凸の多いのり面での半円形断面法枠では補強筋、すなわち鉄筋が半円形断面の所定位置に配置しにくい場合も想定され、その場合には設計通りの断面形状が施工できない可能性も考えられる。
【先行技術文献】
【特許文献】
【０００３】
【特許文献１】特許第２６２７８７７号公報。
【発明の概要】
【発明が解決しようとする課題】
【０００４】
上記の状況を改善するため本工法は設計に準じたコンクリート断面を構築して、かつ枠内の客土を安定させて植物の衰退を防いでのり面の長期的安定を図るものである。
【課題を解決するための手段】
【０００５】
上記のような課題を解決する本発明の法枠の構造は、一端を地中への打ち込み部として形成した支柱の他端に鉄筋支持部を有し、中間には支柱と直交するストッパを有する鉄筋支持具を使用し、ストッパが法面に接触するまで打ち込んだ鉄筋支持具と、この鉄筋支持具の鉄筋支持部で支持した鉄筋と、その鉄筋群を覆う状態で設置した、アーチ状の形状表示材と、この形状表示材を被覆する状態で吹き付けたコンクリートなどで構成したことを特徴としたものである。
また本発明の法枠の構築方法は、一端を地中への打ち込み部として形成した支柱の他端に支持部を有し、中間には支柱と直交するストッパを有する鉄筋支持具を使用し、この鉄筋支持具の打ち込み部を法面に直交する方向に向けて、ストッパが法面に接触するまで打ち込み、その鉄筋支持具の支持部で鉄筋を支持し、その鉄筋群を覆う状態で、アーチ状の形状表示材を設置し、この形状表示材を被覆する状態でコンクリートなどを吹き付けて行うことを特徴としたものである。
また上記の法枠の構造において、アーチ状の形状表示材は、その中央のアーチ部と、両端の直線部とより構成したことを特徴としたものである。
また上記の法枠の構築方法において、アーチ状の形状表示材は、その中央に形成したアーチ部と、両端に形成した直線部とよりなり、その両端の直線部を、地表面と直交する方向に設置して行うことを特徴としたものである。
【発明の効果】
【０００６】
本発明の法枠の構造とその構築方法は以上説明したようになるから次のような効果のいくつかを得ることができる。
＜１＞鉄筋支持具のストッパが地表面に接しているから、その先端で支持する鉄筋と地表面との間隔を正確に確保することができる。したがって、鉄筋と地表面との間隔が不正確になることがなく、正確に設計通りの位置に配置することができるので法枠は所定の強度を期待することができる。
＜２＞正確な位置に配置した鉄筋群を覆う状態で形状表示材を配置してあるから、コンクリートの吹き付けの作業者は、形状表示材を覆う位置までコンクリートを吹き付けることで適切な作業を行うことができる。したがって吹き付け作業者の熟練に頼ることなく、正確な形状の法枠を構築することができる。
＜３＞鉄筋群を覆う形状表示材において、特にアーチ部の両端に直線部を形成した表示材を使用すると、吹き付けた後の法枠の形状は、両の裾部に地表面に対して直交する壁面が形成される。すると法枠の上流部に位置している法面土砂が法枠を乗り越えて流下を阻止することができ、法面の土砂の流出や法面の崩壊を防止することができる。
【図面の簡単な説明】
【０００７】
【図１】本発明の法枠の構築に使用する鉄筋支持具の実施例の説明図。
【図２】法枠の構造の断面図。
【図３】形状表示材の配置状態の実施例の説明図。
【図４】半円形の法枠と本願発明の法枠との機能の相違の説明図。
【発明を実施するための形態】
【０００８】
以下図面を参照にしながら本発明の法枠の構造とその構築方法の好適な実施の形態を詳細に説明する。
【実施例】
【０００９】
＜１＞鉄筋支持具。
まず本発明の法枠の構造の基本部材の一つである鉄筋支持具１について説明する。
この支持具は、支柱１１と鉄筋支持部１２と、ストッパ１３とで構成する。
【００１０】
＜１−１＞支柱。
支柱１１は短い鋼棒であり、その一端の打ち込み部は鉛筆状に尖らせた、その尖った部分を地中への打ち込み部１４として形成する。
【００１１】
＜１−２＞鉄筋支持部。
この支柱１１の他端には鉄筋支持部１２を形成する。
この支持部は、例えば鋼棒を円環状、円弧状、Ｕ字状、Ｙ字状、Ｔ字状、梯子状などに形成して、後述する鉄筋の配置時に鉄筋を簡単に支持できるように構成する。
【００１２】
＜１−３＞ストッパ。
この支柱１１の中間には支柱１１と直交する方向に向けてストッパ１３を形成する。
このストッパ１３は例えば短い鋼棒を支柱１１に直交して溶接することで形成することができる。
あるいは支柱１１自体を、その中間をヘアピン状に折り返して形成することもできる。
あるいは支柱１１に鍔状に円盤を溶接して形成することもできる。
このストッパ１３の下面の位置と鉄筋支持部１２の下端との間隔が、鉄筋の地表面から離れる寸法となる。
【００１３】
＜２＞形状表示材。
後述するように本発明の法枠はコンクリートを高圧下で吹き付けて構築する。したがってコンクリートの打設範囲が明確である型枠内への打ち込み作業と比較すると、吹き付けの範囲が明確ではなく、作業員の勘や熟練に依存せざるを得ない、という問題があった。
その問題を解決するために本願発明では、形状表示材２を使用する。
この形状表示材２の全体形状はアーチ状であり、その外形は完成させる予定の法枠の外形とほぼ一致している。
そのためにコンクリートなどを吹き付ける作業員が、この形状表示材２が隠れる程度までコンクリートなどを吹き付ければ、設計通りの正確な形状を形成することができるという効果を有する。
【００１４】
＜２−１＞形状表示材の素材。
この形状表示材２として、溶接金網、ワイヤーメッシュなどを使用する。
溶接金網とは、ステンレス、アルミ、スチールなどの金属線材を十字枠状に重ね、その交点を溶接して製作する金網であり、線材を編み上げる織金網に比べ、強度に優れている特徴を備えている。
縦線材と横線材を十字枠状に溶接した金網を、カマボコ状、半筒状に曲げる。
こうして曲げた一方の線材、例えば横線材をアーチ材２１として構成し、アーチ材２１の間を連結する直線状の縦線材を連結材２２として構成して、形状表示材２を形成する。
その場合に、溶接金網の線材の間隔、すなわちアーチ材２１の間および連結材２２の間の間隔は、吹き付けるコンクリートなどの抵抗にならない程度の広い間隔のものを採用する。
【００１５】
＜２−２＞直線部。
この形状表示材２は、その中央に形成したアーチ材２１だけで構成することができるが、さらに中央のアーチ材２１と、その両端に形成した直線部２３とによって構成することもできる。
アーチ材２１の両端に直線部２３を形成したタイプの形状表示材２の場合には、設置する場合に、その両端の直線部２３を、地表面と直交する方向に設置して行うものである。
形状表示材２として格子枠の金網を使用する場合に、直線部２３における網目の寸法は、アーチ部の金網よりも細かい網目のものを用いて、コンクリートなどの側面への流出の抵抗を増やすことができる。
【００１６】
＜３＞鉄筋支持具の打ち込み。
次に本発明の法枠の構築方法について説明する。
まず法面に下敷き金網３を敷設する。
この下敷き金網３としてはワイヤーラス、ワイーヤーメッシュなどが使用できるが、この下敷き金網３の敷設工程は本願発明にとって不可欠なものではない。
その後に、法面、すなわち地表面に対して直交する方向に、鉄筋支持具１を打設する。
その打設位置は、完成予定の格子状の法枠の交差部、その他の構築予定の法枠の主要部である。
鉄筋支持具１には支柱１１の中間に、支柱１１と直交する方向にストッパ１３が形成してあるから、ストッパ１３より深くは打設することはできない。
【００１７】
＜４＞配筋。
ストッパ１３が法面に接触するまで打ち込んだ鉄筋支持具１の上端の鉄筋支持部１２に主鉄筋４を取り付ける。所定の位置に打設した鉄筋支持具１には、その上端に鉄筋支持部１２が形成してあるから、配筋作業が簡単である。
こうしてすべての主鉄筋４は、その支持部とストッパ１３との間隔だけ地表面から離れた位置に正確に配筋できることになる。
しかも後述するコンクリート５の吹き付け圧力によっても主鉄筋４は移動することがない。
【００１８】
＜５＞形状表示材の設置。
この鉄筋支持具１の鉄筋支持部１２で支持した主鉄筋４群を覆う状態で、アーチ状の形状表示材２を設置する。
形状表示材２は前記したように、縦横の鋼線を格子状に組み立てた溶接金網などを半筒状に曲げた部材であるから、安定した状態で主鉄筋４群の上部空間を覆うように設置することができる。
この形状表示材２の外形が断面アーチ状の法枠のアーチ部５１の外形を表示している。
アーチ材２１の両端に直線部２３を形成した形状表示材２を使用した場合には、アーチ部５１の両端に、直交面部５２を地表面と直交する状態で形成することができる。
【００１９】
＜６＞コンクリートなどの吹き付け。
この形状表示材２を被覆する状態でコンクリート５、モルタルなどを高圧下で吹き付ける。
上記したようにこの形状表示材２が隠れる程度までコンクリート５などを吹き付ければ、設計図通りの正確なアーチ部５１を備えた法枠を得ることができる。
アーチ材２１の両端に直線部２３を形成した形状表示材２を設置してコンクリート５などを吹き付ければ、法枠の断面の両側の裾部が地表面と直交した直交面部５２を備えた法枠を形成することができる。（図４ｂ）
すると法枠の上流側の土砂が雨水、地下水などによって流れが発生した場合に、従来の半円形状の法枠（図４ａ）と比較して、法枠の直交壁が土砂の流出の抵抗となり、土砂の流出、崩壊を阻止することができる。
【００２０】
＜７＞枠内の緑化。
格子状法枠が完成したら、枠内に客土を行い、あるいは種子を散布し、あるいは木本類の植栽など緑化工を実施する。
緑化が不要なのり面や防火帯などでは枠内にさらに被覆コンクリートを吹き付けて枠付きコンクリート吹き付けとすることもできる。
【符号の説明】
【００２１】
１：鉄筋支持具
２：形状表示材
４：主鉄筋
５：コンクリートなど
【図１】
2020016116.tif 000003
【図２】
2020016116.tif 000004
【図３】
2020016116.tif 000005
【図４】
2020016116.tif 000006